(57)【要約】    【課題】軽量でありながら保形性に優れたコスト安価なロッドケースの提供。    【解決手段】ケース本体２１は、基部２４及び蓋部材２５を備える。基部２４は、背面部材２６及び一対の側面部材２７、２８備える。各側面部材２７、２８は、背面部材２６の両側に縫いつけられており、両者間の境界部分は屈曲している。背面部材２６及び各側面部材２７、２８は、当該背面部材２６の内壁面形状に合致した形状の背面緩衝材３１及び各側面部材２７、２８の内壁面形状に合致した形状の側面緩衝材３６、３９を有する。これら背面緩衝材３１及び側面緩衝材３６、３９は、背面部材２６及び各側面部材２７、２８に固定されている。背面部材２６は、当該背面部材２６の内壁面形状に合致した形状の芯材を有する。この芯材は、背面部材２６の外側に固定されている。【選択図】図３
2006204155.tif 000002
【特許請求の範囲】
【請求項１】
細長筒状に形成されたケース本体を有するロッドケースであって、
ケース本体は、背面部材及び背面部材の両側に連結された一対の側面部材を有する基部と、両側面部材間に掛け渡すように設けられ、基部を開閉し得る蓋部材とを備え、
上記背面部材及び一対の側面部材は、それぞれ、当該背面部材の内壁面形状に合致した形状の背面緩衝材及び各側面部材の内壁面形状に合致した形状の側面緩衝材が固定されており且つ上記背面部材は、当該背面部材の内壁面形状に合致した形状の樹脂板からなる芯材が上記背面緩衝材の外側に固定されているロッドケース。
【請求項２】
上記背面部材は、細長矩形状に形成されている請求項１に記載のロッドケース。
【請求項３】
上記背面部材及び各側面部材は、それぞれ、上記背面緩衝材及び側面緩衝材を収容し固定する緩衝材収納部を備えている請求項１又は２に記載のロッドケース。
【請求項４】
上記緩衝材収納部は、上記背面緩衝材及び側面緩衝材が圧入される可撓性のある袋状に形成されている請求項３に記載のロッドケース。
【請求項５】
上記緩衝材収納部は、中間部にスリット状窓部を備えている請求項４に記載のロッドケース。
【発明の詳細な説明】
【技術分野】
【０００１】
本発明は、釣竿（以下、「ロッド」という。）を収納するためのロッドケースの構造に関するものである。
【背景技術】
【０００２】
例えば磯釣りにおいては、釣り場の環境は、岩が露出した磯場である。そのため、ロッド等の釣り道具がそのまま釣り場に持ち込まれると、釣具が磯に接触した場合に傷が付いてしまう。特にロッドは衝撃に弱く、場合によってはその機能が損なわれるような損傷を受けるおそれもある。このため、従来からロッドを保護するためのロッドケースが提供されている（例えば、特許文献１〜特許文献３参照）。
【０００３】
従来のロッドケースは、特許文献１に開示されたように、一般に複数本のロッドをまとめて収容するためのバッグとして構成されており、通常はファスナーによってロッドケースの開閉が可能となっている。このようなロッドケースは、従来からナイロン、塩化ビニル又はポリプロピレン等の可撓性に優れた材料により構成されている。そのため、構造物としてのロッドケースの剛性が低くなり、ロッドが収納されていない状態、すなわちロッドケースからロッドが取り出された状態では、当該ロッドケースがいかようにも変形し、釣人にとってきわめて扱い難いものとなる。
【０００４】
このような不都合を解消するために、剛性が高く保形性に優れたロッドケースが提供されている（例えば、非特許文献１参照）。図６は、従来の保形性に優れたロッドケースの外観斜視図である。同図が示すようにロッドケース１は、ケース本体２と、ケース本体２に設けられた肩掛けベルト３及び手提げベルト４とを有する。ケース本体２は筒状に形成されており、複数本のロッドが収納できるようになっている。ケース本体２の下部はボリュームが若干大きくなるように形成されており、釣用リールが装着されたロッドでも容易に収納される。ケース本体２の側面にはポケット５が設けられており、他の釣り道具が収納され得る。肩掛けベルト３は、ケース本体２の背面側に設けられており、釣人は、この肩掛けベルト３を肩に掛けることによってロッドケース１を容易に持ち運びすることができる。また、例えば釣人が船からこのロッドケースを磯に移動させるときに、手提げベルト４を把持することができるので、釣人は、ロッドケース１を容易に取り扱うことができる。
【０００５】
図７は、ロッドケース１の要部拡大斜視図であって、ケース本体２の内部構造を図示している。同図が示すように、ケース本体２は、略Ｕ字状に湾曲形成された基部９と、基部９にファスナーを介して開閉自在に設けられた蓋部１０とを備えている。この基部９は、外布６と、内布７と、これらの間に挟み込まれた芯材８とを有する。外布６及び内布７は、ロッドケース１が磯に衝突した場合であってもロッドを衝撃から保護するために緩衝材を備えている。芯材８は、樹脂板（典型的にはポリエチレン低発泡シート）からなり、外布６及び内布７に比べてきわめて剛性が高い。この芯材８は、湾曲された単一のシート状部材であって、外布６の内壁面を覆うように基部９の内側に配置されている。
【０００６】
【特許文献１】特開２０００−４７４５公報
【特許文献２】特開２００２−２０９４９２公報
【特許文献３】特開２００２−１７２２４公報
【非特許文献１】2004 SHIMANO Fishing Tackle Catalogue (P.195、P196）
【発明の開示】
【発明が解決しようとする課題】
【０００７】
図７が示すように芯材８が設けられることによって、ケース本体２の剛性及び耐衝撃性はきわめて高くなる。しかし、ケース本体２の基部９を覆う芯材８が設けられることにより、ロッドケース１の重量及びコストが大幅に増加するという問題がある。
【０００８】
そこで、本発明の目的は、軽量でありながら保形性に優れたコスト安価なロッドケースを提供することである。
【課題を解決するための手段】
【０００９】
(1) 上記目的が達成されるため、本発明に係るロッドケースは、細長筒状に形成されたケース本体を有するロッドケースであって、ケース本体は、背面部材及び背面部材の両側に連結された一対の側面部材を有する基部と、両側面部材間に掛け渡すように設けられ、基部を開閉し得る蓋部材とを備える。上記背面部材及び一対の側面部材は、それぞれ、当該背面部材の内壁面形状に合致した形状の背面緩衝材及び各側面部材の内壁面形状に合致した形状の側面緩衝材が固定されており且つ上記背面部材は、当該背面部材の内壁面形状に合致した形状の樹脂板からなる芯材が上記背面緩衝材の外側に固定されている。
【００１０】
この構成によれば、ケース本体の基部は、背面部材及び一対の側面部材の３つのパーツからなり、略Ｃ型形状に形成される。そして、この基部に蓋部材が設けられることによって、細長筒状のケース本体が構成される。蓋部材は基部に対して開閉することができるので、基部に対して開かれたときはロッドの出し入れが可能となり、基部に対して閉じられたときはロッドが確実に収容保護される。
【００１１】
基部が上記３つのパーツからなり、略Ｃ型形状に形成されることによって背面部材と各側面部材との境界部分が屈曲される（すなわち、いわゆる角部が形成される）こととなるから、基部の剛性が高くなる。特に、基部が単一の部材からなる場合に比べて剛性はきわめて高くなる。しかも、背面部材に背面緩衝材が固定され、各側面部材に側面緩衝材が固定されている。これら背面緩衝材及び側面緩衝材は、それぞれ、背面部材の内壁面形状及び各側面部材の内壁面形状に合致しているから、基部の背面を構成する背面部材及び基部の側面を構成する各側面部材は、高い剛性と衝撃吸収性を有することとなる。したがって、上記基部の剛性が一層高くなる。加えて、背面部材には、上記背面緩衝材の外側に芯材が固定され、この芯材は、背面部材の内壁面形状に合致されているから、背面部材の剛性がさらに向上する。すなわち、この背面部材が筒状のケース本体の背骨を構成することとなり、上記基部の剛性は、なお一層高くなる。
【００１２】
基部の剛性が高くなることによって、容器としてのケース本体の剛性も向上する。ここで、基部の剛性を高めているのは、一般に軽量である上記背面緩衝材及び側面緩衝部材と、背面のみに設けられている芯材である。したがって、ケース本体の重量が大幅に増加することはない。上記芯材は樹脂板からなり、上記背面緩衝材及び側面緩衝部材に比べると一般に高価な材料からなるが、背面部材にのみ設けられている。すなわち、背面部材の剛性向上のために必要最小限の芯材が使用されているから、ケース本体の製造コストが大幅に上昇することはない。
【００１３】
(2) 上記背面部材は、細長矩形状に形成されているのが好ましい。この構成では、背面部材の形状がきわめて簡単である。したがって、上記背面緩衝材及び芯材の形状も簡単なものとなり、ケース本体の製造コストが一層抑えられる。
【００１４】
(3) 上記背面部材及び各側面部材は、それぞれ、上記背面緩衝材及び側面緩衝材を収容し固定する緩衝材収納部を備えているのが好ましい。この構成では、背面緩衝材及び側面緩衝材が緩衝材収納部に収納されることによって、背面部材及び側面部材に固定される。しかも、通常、背面緩衝材及び側面緩衝材は弾性体からなるので、緩衝材収納部の容積と略等しいボリュームの背面緩衝材及び側面緩衝材が当該緩衝材収納部に隙間なく圧入され得る。これにより、ボリュームの大きな背面緩衝材及び側面緩衝材がそれぞれ背面部材及び側面部材の内側に押し込まれ、その結果、背面部材及び側面部材の剛性及び衝撃吸収性がさらに向上する。
【００１５】
(4) 上記緩衝材収納部は、上記背面緩衝材及び側面緩衝材が圧入される可撓性のある袋状に形成されているのが好ましい。前述のように、背面緩衝材及び側面緩衝材は、通常は弾性体からなる。したがって、緩衝材収納部が可撓性のある袋状に形成されることによって、背面緩衝材及び側面緩衝材が弾性変形されながら簡単に緩衝材収納部に収納されると共に、より大きなボリュームの背面緩衝材及び側面緩衝材が緩衝材収納部に押し込まれ得る。その結果、背面部材及び側面部材の剛性及び衝撃吸収性が一層向上する。
【００１６】
(5) 上記緩衝材収納部は、中間部にスリット状窓部を備えているのが好ましい。このスリット状窓部が設けられることにより、上記背面緩衝材及び側面緩衝材は、緩衝材収納部の中間部分から出し入れされる。すなわち、緩衝材収納部は、背面緩衝材及び側面緩衝材が挿入される前に予め袋状に形成され、この袋状に形成された緩衝材収納部に背面緩衝材及び側面緩衝材が圧入され得る。これにより、さらに大きいボリュームの背面緩衝材及び側面緩衝材が緩衝材収納部に押し込まれ、その結果、背面部材及び側面部材の剛性及び衝撃吸収性がなお一層向上する。
【発明の効果】
【００１７】
本発明によれば、基部が３つのパーツ（背面部材及び一対の側面部材）から構成され、各側面部材は所定形状の側面緩衝材が固定され、背面部材は所定形状の背面緩衝材及び必要最小限の芯材が固定されているので、ケース本体は、大幅な重量及びコストの上昇を伴うことなく、その剛性が飛躍的に向上する。その結果、軽量でありながら保形性に優れ、且つコスト安価なロッドケースが提供され得る。
【発明を実施するための最良の形態】
【００１８】
以下、適宜図面が参照されつつ、好ましい実施形態に基づいて本発明が詳細に説明される。
【００１９】
図１は、本発明の一実施形態に係るロッドケースの斜視図である。このロッドケース２０は、例えば磯釣用として使用される。ロッド、タモの柄その他の釣道具がこのロッドケース２０の内部に収納され、外部からの衝撃から保護されるようになっている。
【００２０】
ロッドケース２０は、細長筒状に形成されたケース本体２１と、ケース本体２１に設けられた肩掛けベルト２２及び手提げベルト２３とを備えている。本実施形態の特徴とするところは、ケース本体２１が後述される内部構造を有する点であり、これにより、ロッドケース２０が軽量でありながら高い剛性を有し、しかも安価に製造され得るようになっている。
【００２１】
ケース本体２１は、基部２４と、これに設けられた蓋部材２５とを備えている。後に詳述されるが、蓋部材２５は、基部２４に対して開閉自在となっている。蓋部材２５が開かれることによってロッド等がケース本体２１に出し入れされる。図２は、蓋部材２５が開かれた状態のロッドケースの斜視図である。同図が示すように、基部２４は、ケース本体２１の背面を構成する背面部材２６と、背面部材２６の一方側に連結された側面部材２７と、背面部材２６の他方側に連結された側面部材２８とを備えている。基部２４は、同図が示すように内布２９が設けられている。この内布２９は、例えばポリエステルやナイロン等からなる。内布２９は、基部２４の内壁面全体を覆い、基部２４の周縁部に縫いつけられている。なお、この内布２９にはポケット３０が設けられており、小物が収容されるようになっている。
【００２２】
図３は、ロッドケース２０の要部拡大斜視図である。同図では、上記内布２９の一部が破断され、基部２４の内部構造が露出した状態が示されている。同図が示すように、基部２４を構成する背面部材２６は、細長の矩形状（長方形状）に形成されている。この背面部材２６の一方側（同図における右側）の縁部に沿って側面部材２７が縫いつけられている。また、背面部材２６の他方側（同図における左側）の縁部に沿って側面部材２８が縫いつけられている。これら側面部材２７及び側面部材２８は、細長の瓢箪形を呈している。このため、図１が示すように、ロッドケース２０は、その下部のボリュームが若干大きくなるように形成されており、ロッドは、釣用リールが装着されたままで収納される。図３が示すように、背面部材２６の両側に各側面部材２７、２８が縫いつけられているから、各側面部材２７、２８がは、細長矩形状に形成された背面部材２６に対して当該背面部材２６との境界部分において容易に屈曲することができる。このことによる作用効果については、後述される。
【００２３】
図４は、ロッドケース２０の要部分解斜視図であり、図５は、図４における部分拡大斜視図である。これらの図では、上記背面部材２６の内部構造が詳細に示されている。図３及び図４が示すように、背面部材２６は、背面緩衝材３１と、芯材３２とを備えている。背面緩衝材３１は、発泡樹脂からなり、典型的には、ポリエチレン（ＰＥ）の高発泡体が採用され得る。この背面緩衝材３１の形状は、背面部材２６の内壁面形状に合致している。したがって、背面緩衝材３１は、その外縁と背面部材２６の外縁とが略一致した状態で当該背面部材２６の内側に固定されている。背面緩衝材３１の固定方法については、後述される。
【００２４】
上記芯材３２は、樹脂の薄肉板材からなり、典型的には、ポリエチレン（ＰＥ）やポリプロピレン（ＰＰ）の低発泡体が採用され得る。この芯材３２の形状は、上記背面緩衝材３１の形状と同様に、背面部材２６の内壁面形状に合致している。したがって、芯材３２は、その外縁と背面部材２６の外縁とが略一致した状態で当該背面部材２６の内側に固定されている。ただし、この芯材３２は、背面緩衝材３１の外側に配置されている。芯材３２は、本実施形態では、背面部材２６に縫いつけられることによって固定されている。特に芯材３２の上端部３３が、背面部材２６に強固に固定されている。ただし、芯材３２の固定手段については、芯材３２が背面部材２６に固定され得る他の手段が採用されてもよいことは勿論である。
【００２５】
図３が示すように、背面部材２６は、緩衝材収納袋３４を備えている。この緩衝材収納袋３４は、例えばナイロンやポリエステル等からなり、背面緩衝材３１を収容し固定する。ただし、緩衝材収納袋３４を構成する材料は、可撓性を有し、背面緩衝材３１が挿入され得るものであれば他のものが採用されてもよい。緩衝材収納袋３４は、背面部材２６に固定されており、その外形形状は、背面部材２６の内壁面形状に合致している。すなわち、緩衝材収納袋３４は、背面部材２６の内壁面形状と略一致する袋状に形成されており、緩衝材収納袋３４の周縁部が背面部材２６の周縁部に沿って縫いつけられている。
【００２６】
背面緩衝材３１は、緩衝材収納袋３４の内部に嵌め込まれるようになっている。緩衝材収納袋３４の内部形状は、背面緩衝材３１の外形形状に対応している。このため、背面緩衝材３１は、緩衝材収納袋３４に圧入されるようになっている。緩衝材収納袋３４の中間部分に窓部３５（スリット状窓部）が設けられている。この窓部３５は、横方向に延びるスリット状に形成されており、その幅方向寸法（図中縦方向寸法）は、１０ｍｍ〜３０ｍｍに設定されている。背面緩衝材３１は、上記窓部３５から緩衝材収納袋３４へ押し込まれる。窓部３５の幅方向寸法が上記寸法に設定されることにより、背面緩衝材３１を緩衝材収納袋３４へ出し入れする作業が容易である。背面緩衝材３１が緩衝材収納袋３４へ圧入されることによって背面緩衝材３１と緩衝材収納袋３４との間に緊迫力が発生する。この緊迫力は、背面緩衝材３１を緩衝材収納袋３４に固定する。緩衝材収納袋３４が前述のように背面部材２６に縫いつけられているから、緩衝材収納袋３４に挿入された背面緩衝材３１は、背面部材２６に固定されることとなる。
【００２７】
図３及び図４が示すように、側面部材２７は、側面緩衝材３６を備えている。側面緩衝材３６は、発泡樹脂からなり、典型的には、ポリエチレン（ＰＥ）の高発泡体が採用され得る。この側面緩衝材３６の形状は、側面部材２７の内壁面形状に合致している。したがって、側面緩衝材３６は、その外縁と側面部材２７の外縁とが略一致した状態で当該側面部材２７の内側に固定されている。側面緩衝材３６の固定方法については、後述される。
【００２８】
側面部材２７は、緩衝材収納袋３７を備えている。この緩衝材収納袋３７は、例えば、ナイロンやポリエステル等からなり、側面緩衝材３６を収容し固定する。ただし、緩衝材収納袋３７を構成する材料は、上記緩衝材収納袋３４と同様に可撓性を有し、側面緩衝材３６が挿入され得るものであれば他のものが採用されてもよい。緩衝材収納袋３７は、側面部材２７に固定されており、その外形形状は、側面部材２７の内壁面形状に合致している。すなわち、緩衝材収納袋３７は、側面部材２７の内壁面形状と略一致する袋状に形成されており、緩衝材収納袋３７の周縁部が側面部材２７の周縁部に沿って縫いつけられている。
【００２９】
側面緩衝材３６は、緩衝材収納袋３７の内部に嵌め込まれるようになっている。緩衝材収納袋３７の内部形状は、側面緩衝材３６の外形形状に対応している。このため、側面緩衝材３６は、緩衝材収納袋３７に圧入されるようになっている。緩衝材収納袋３７の中間部分に窓部３８（スリット状窓部）が設けられている。この窓部３８は、図４が示すように斜め下方に延びるスリット状に形成されており、その幅方向寸法は、１０ｍｍ〜３０ｍｍに設定されている。ただし、この窓部３８の方向は、上記窓部３５と同様に横方向であってもよい。側面緩衝材３６は、上記窓部３８から緩衝材収納袋３７へ押し込まれる。窓部３８の幅方向寸法が上記寸法に設定されることにより、側面緩衝材３６を緩衝材収納袋３７へ出し入れする作業が容易である。側面緩衝材３６が緩衝材収納袋３７へ圧入されることによって側面緩衝材３６と緩衝材収納袋３７との間に緊迫力が発生する。この緊迫力は、側面緩衝材３６を緩衝材収納袋３７に固定する。緩衝材収納袋３７が前述のように側面部材２７に縫いつけられているから、緩衝材収納袋３７に挿入された側面緩衝材３６は、側面部材２７に固定されることとなる。
【００３０】
側面部材２８の構造も同様である。図３及び図４が示すように、側面部材２８は、側面緩衝材３９を備えている。側面緩衝材３９は、発泡樹脂からなり、典型的には、ポリエチレン（ＰＥ）の高発泡体が採用され得る。この側面緩衝材３９の形状は、側面部材２８の内壁面形状に合致している。したがって、側面緩衝材３９は、その外縁と側面部材２８の外縁とが略一致した状態で当該側面部材２８の内側に固定されている。側面緩衝材３９の固定方法については、後述される。
【００３１】
側面部材２８は、緩衝材収納袋４０を備えている。この緩衝材収納袋４０は、例えば、ナイロンやポリエステル等からなり、側面緩衝材３９を収容し固定する。ただし、緩衝材収納袋４０を構成する材料は、上記緩衝材収納袋３４、３７と同様に可撓性を有し、側面緩衝材３９が挿入され得るものであれば他のものが採用されてもよい。緩衝材収納袋４０は、側面部材２８に固定されており、その外形形状は、側面部材２８の内壁面形状に合致している。すなわち、緩衝材収納袋４０は、側面部材２８の内壁面形状と略一致する袋状に形成されており、緩衝材収納袋４０の周縁部が側面部材２８の周縁部に沿って縫いつけられている。
【００３２】
側面緩衝材３９は、緩衝材収納袋４０の内部に嵌め込まれるようになっている。緩衝材収納袋４０の内部形状は、側面緩衝材３９の外形形状に対応している。このため、側面緩衝材３９は、緩衝材収納袋４０に圧入されるようになっている。緩衝材収納袋４０の中間部分に窓部４１（スリット状窓部）が設けられている。この窓部４１は、図４が示すように斜め下方に延びるスリット状に形成されており、その幅方向寸法は、１０ｍｍ〜３０ｍｍに設定されている。ただし、この窓部４１の方向は、上記窓部３５と同様に横方向であってもよい。側面緩衝材３９は、上記窓部４１から緩衝材収納袋４０へ押し込まれる。窓部４１の幅方向寸法が上記寸法に設定されることにより、側面緩衝材３９を緩衝材収納袋４０へ出し入れする作業が容易である。側面緩衝材３９が緩衝材収納袋４０へ圧入されることによって側面緩衝材３９と緩衝材収納袋４０との間に緊迫力が発生する。この緊迫力は、側面緩衝材３９を緩衝材収納袋４０に固定する。緩衝材収納袋４０が前述のように側面部材２８に縫いつけられているから、緩衝材収納袋４０に挿入された側面緩衝材３９は、側面部材２８に固定されることとなる。
【００３３】
図１が示すように、側面部材２８の外面は外壁シート４２により構成されている。この外壁シート４２は、例えば、ナイロンやポリエステル等からなる。また、側面部材２８の上部に補強シート４３が縫いつけられている。この補強シート４３は、例えば、ポリ塩化ビニル（ＰＶＣ）やエチレン酢酸ビニル共重合体（ＥＶＡ）等からなり、上記外壁シート４２に重ね合わされている。なお、同図では図示されていないが、上記背面部材２６の外壁及び上記側面部材２７の外壁も同様の構成である。
【００３４】
また、側面部材２８の外側にポケット４４が設けられている。このポケット４４は、側面部材２８を構成する外壁シート４２から構成されている。ただし、ポケット４４が他の樹脂シートから構成されていてもよい。ポケット４４はファスナー４５を備えており、これがスライドされることによってポケット４４が開閉する。さらに、ポケット４４の外側に他のポケット４６が設けられている。このポケット４６は、ポケット４４の外面にメッシュ部材４７が取り付けられることによって構成されている。このポケット４６は、省略されてもよい。
【００３５】
前述のように、蓋部材２５は、基部２４に対して開閉自在となっている。具体的には、図１及び図２が示すように、蓋部材２５は、細長矩形に形成され、側面部材２７と側面部材２８との間に掛け渡すように配置されている。蓋部材２５の一方側の縁部は、側面部材２７の縁部に沿って縫いつけられている。蓋部材２５の他方側の縁部は、ファスナー４８を介して側面部材２８に連結されている。図５は、このことを詳細に図示している。
【００３６】
図２が示すように、蓋部材２５は、上記背面部材２６及び側面部材２７、２８と同様に内布２９が設けられている。この内布２９は、蓋部材２５の内壁面全体を覆い、蓋部材２５の周縁部に縫いつけられている。蓋部材２５の外面は外壁シートにより構成されている。この外壁シートは、側面部材２８等に設けられた外壁シート４２と同様である。また、図５が示すように、蓋部材２５の上部に補強シート４３が縫いつけられている。この補強シート４３も側面部材２８等に設けられたものと同様であって、上記外壁シートに重ね合わされている。
【００３７】
図１が示すように、背面部材２６、側面部材２７、側面部材２８及び蓋部材２５は、下方で筒状に束ねられ、トレー５１に固定されている。トレー５１は矩形状を呈しており、例えば、ポリエチレン（ＰＰ）等からなる。このトレー５１の内壁面にそれぞれ背面部材２６、側面部材２７、側面部材２８及び蓋部材２５が配置されている。これら背面部材２６、側面部材２７、側面部材２８及び蓋部材２５は、トレー５１に縫いつけられることによって固定されている。
【００３８】
肩掛けベルト２２は、上記背面部材２６に取り付けられている。肩掛けベルト２２は既知の構成であって、ベルト本体４９と肩当てパッド５０とを備えている。ベルト本体４９は、例えば、ポリエステル、ナイロン、ポリプロピレン（ＰＰ）等からなり、肩当てパッド５０は、例えば、ポリ塩化ビニル（ＰＶＣ）、ポリウレタン（ＰＵ）等から構成されている。また、手提げベルト２３は、両側面部材２７、２８間に掛け渡すように取り付けられている。手提げベルト２３も既知の構成であり、例えば、ポリエステル、ナイロン、ポリプロピレン（ＰＰ）等からなる。
【００３９】
本実施形態に係るロッドケース２０では、ケース本体２１の基部２４は、背面部材２６及び一対の側面部材２７、２８の３つのパーツからなり、しかも背面部材２６に対して各側面部材２７、２８が容易に屈曲することができるので、略Ｃ型形状に形成される。そして、この基部２４に蓋部材２５が設けられることによって、細長筒状のケース本体２１が構成される。蓋部材２５は基部２４に対して開閉することができるので、蓋部材２５が基部２４に対して開かれたときはロッドの出し入れが可能となり、蓋部材２５が基部２４に対して閉じられたときはロッドが確実に収容保護される。
【００４０】
背面部材２６に対して各側面部材２７、２８が屈曲されることから、両者の境界部分５２、５３にいわゆる角部が形成されることとなる。このため、基部２４の剛性が高くなる。特に、基部が単一の部材からなる場合に比べて、剛性はきわめて高くなる。しかも、背面部材２６に背面緩衝材３１が固定され、各側面部材２７、２８に側面緩衝材３６、３９が固定されている。これら背面緩衝材３１及び側面緩衝材３６、３９は、それぞれ、背面部材２６の内壁面形状及び各側面部材２７、２８の内壁面形状に合致しているから、背面部材２６及び各側面部材２７、２８の剛性及び衝撃吸収性が向上する。したがって、上記角部が形成されることと相まって基部２４の剛性が一層高くなる。加えて、背面部材２６には、背面緩衝材３１の外側に芯材３２が固定され、しかもこの芯材３２は、背面部材２６の内壁面形状に合致されているから、背面部材２６の剛性がさらに向上する。この背面部材２６は、筒状のケース本体２１の背骨を構成するものであるから、基部２４の剛性は、なお一層高くなる。
【００４１】
基部２４の剛性が高くなることによって、ケース本体２１の剛性も向上する。前述のように、基部２４の剛性を高めているのは、背面緩衝材３１及び側面緩衝部材３６、３９と、背面のみに設けられている芯材３２である。背面緩衝材３１及び側面緩衝部材３６、３９は、発泡樹脂からなるので、一般に軽量である。したがって、ケース本体２１の重量が大幅に増加することはない。また、上記芯材３２は樹脂板からなり、上記背面緩衝材３１及び側面緩衝部材３６、３９に比べると一般に高価な材料からなるが、背面部材２６にのみ、すなわち、背面部材２６の剛性向上のために必要最小限の大きさの芯材３２が使用されている。このため、ケース本体２１の製造コストが大幅に上昇することはない。
【００４２】
このように本実施形態に係るロッドケース２０では、ケース本体２１が大幅な重量及びコストの上昇を伴うことなく、その剛性が飛躍的に向上されている。その結果、ロッドケース２０は、軽量でありながら保形性に優れ、且つコスト安価なものとなる。
【００４３】
本実施形態に係るロッドケース２０では、上記背面部材２６が細長矩形状に形成されているので、背面部材２６の形状がきわめて簡単である。したがって、背面緩衝材３１及び芯材３２の形状も簡単なものとなり、ケース本体２１の製造コストが一層抑えられるという利点がある。
【００４４】
また、背面緩衝材３１及び各側面緩衝材３６、３９が緩衝材収納袋３４、３７、４０に収納されることによって、背面部材２６及び各側面部材２７、２８に固定される。背面緩衝材３１及び各側面緩衝材３６、３９は上記発泡樹脂すなわち弾性体からなるので、緩衝材収納袋３４の容積と等しいボリュームないし緩衝材収納袋３４の容積よりも若干大きいボリュームの背面緩衝材３１が緩衝材収納袋３４に隙間なく圧入される。同様に、緩衝材収納袋３７、４０の容積と等しいボリュームないし緩衝材収納袋３７、４０の容積よりも若干大きいボリュームの側面緩衝材３６、３９がそれぞれ緩衝材収納袋３７、４０に隙間なく圧入される。すなわち、大きいボリュームの背面緩衝材３１及び側面緩衝材３６、３９がそれぞれ背面部材２６及び側面部材２７、２８の内側に押し込まれるので、背面緩衝材３１及び側面緩衝材３６、３６と緩衝材収納袋３４及び緩衝材収納袋３７、４０との間に緊迫力が発生し、背面部材２６及び側面部材２７、２８の剛性及び衝撃吸収性がさらに向上する。
【００４５】
特に、緩衝材収納袋３４、３７、４０は、上記背面緩衝材３１及び側面緩衝材３６、３９が圧入される可撓性のある袋状に形成されているので、背面緩衝材３１及び側面緩衝材３６、３９が弾性変形されながら簡単に緩衝材収納袋３４、３７、４０に収納される。しかも、より大きなボリュームの背面緩衝材３１及び側面緩衝材３６、３９が緩衝材収納袋３４、３７、４０に押し込まれ、背面緩衝材３１及び側面緩衝材３６、３６と緩衝材収納袋３４及び緩衝材収納袋３７、４０との間により大きい緊迫力が発生する。したがって、背面部材２６及び側面部材２７、２８の剛性及び衝撃吸収性が一層向上する。
【００４６】
加えて、緩衝材収納袋３４、３７、４０は、それぞれ、スリット状の窓部３５、３８、４１を備えているので、背面緩衝材３１及び側面緩衝材３６、３９は、この窓部３５、３８、４１から出し入れされる。すなわち、図３において、背面緩衝材３１及び側面緩衝材３６、３９は、緩衝材収納袋３４、３７、４０の中間部分から上側及び下側に出し入れされる。換言すれば、緩衝材収納袋３４、３７、４０がそれぞれ背面部材２６及び側面部材２７、２８に縫いつけられて袋状に形成された後に、背面緩衝材３１及び側面緩衝材３６、３９が緩衝材収納袋３４、３７、４０に挿入される。このように予め袋状に形成された緩衝材収納袋３４、３７、４０に背面緩衝材３１及び側面緩衝材３６、３９が押し込まれるので、背面緩衝材３１及び側面緩衝材３６、３９のボリュームがより大きくされ得る。したがって、緩衝材収納袋３４、３７、４０に背面緩衝材３１及び側面緩衝材３６、３９が強い緊迫状態で充填され、背面部材２６及び側面部材２７、２８の剛性及び衝撃吸収性がなお一層向上する。
【産業上の利用可能性】
【００４７】
本発明は、ロッド等が収納されるロッドケースに適用され得る。
【図面の簡単な説明】
【００４８】
【図１】図１は、本発明の一実施形態に係るロッドケースの斜視図である。
【図２】図２は、本発明の一実施形態に係るロッドケースの斜視図であって、蓋部材が開かれた状態が示されている。
【図３】図３は、本発明の一実施形態に係るロッドケースの要部拡大斜視図である。
【図４】図４は、本発明の一実施形態に係るロッドケースの要部分解斜視図である。
【図５】図５は、図４における部分拡大斜視図である。
【図６】図６は、従来の保形性に優れたロッドケースの外観斜視図である。
【図７】図７は、従来のロッドケースの要部拡大斜視図である。
【符号の説明】
【００４９】
２０・・・ロッドケース
２１・・・ケース本体
２４・・・基部
２５・・・蓋部材
２６・・・背面部材
２７・・・側面部材
２８・・・側面部材
２９・・・内布
３１・・・背面緩衝材
３２・・・芯材
３３・・・上端部
３４・・・緩衝材収納袋
３５・・・窓部
３６・・・側面緩衝材
３７・・・緩衝材収納袋
３８・・・窓部
３９・・・側面緩衝材
４０・・・緩衝材収納袋
４１・・・窓部
４２・・・外壁シート
４３・・・補強シート
４８・・・ファスナー
５１・・・トレー
５２・・・境界部分
５３・・・境界部分
【図１】
2006204155.tif 000003
【図２】
2006204155.tif 000004
【図３】
2006204155.tif 000005
【図４】
2006204155.tif 000006
【図５】
2006204155.tif 000007
【図６】
2006204155.tif 000008
【図７】
2006204155.tif 000009